(57)【要約】  【課題】記録媒体作成装置において、発行起動操作前に、記録データ及び印刷データの編集内容を容易に編集確認ができるようにした発行起動処理方法を提供すること。【解決手段】発行指示入力があると、編集済みの記録データ及び印刷データ等が取得され（Ｓ３０１）、画面に表示する（Ｓ３０２）。次に実行選択部８７，８８の入力があると（Ｓ３０３；Ｙｅｓ）、実行選択部にチェックマークをいれるよう表示を切り替え（Ｓ３０４）。選択入力がないと（Ｓ３０３；Ｎｏ）、発行起動ボタン８０による発行起動入力があるかどうかを確認し（Ｓ３０５）、発行起動入力があると（Ｓ３０５；Ｙｅｓ）、実際の発行処理動作が起動される。発行指示入力後に全編集データを一画面上に表示することにより、編集データを確認後に発行動作を起動することにより、編集データの作成ミスを軽減し、編集データの確認を容易にすることができる。【選択図】図７
2008152816.tif 000002
【特許請求の範囲】
【請求項１】
光学記録媒体にデータを記録し、前記光学記録媒体のレーベル面に印刷を行う記録媒体作成装置であって、
光学記録媒体に書き込む記録データの編集を行う記録データ編集部と、
レーベル面に印刷する印刷データの編集を行う印刷データ編集部と、
記録媒体の発行指示信号に基づいて、編集した前記記録データ及び前記印刷データのプレビューを同一画面上に表示し、その後に入力される発行起動信号の入力に基づいて、光学記録媒体の発行処理を起動する発行起動部と、
を備える記録媒体作成装置。
【請求項２】
前記発行起動部は、前記発行起動信号の入力を行う発行起動手段を、前記記録データ及び前記印刷データのプレビューと同じ画面内に表示することを特徴とする請求項１に記載の記録媒体作成装置。
【請求項３】
前記発行起動部は、前記記録データ及び前記印刷データのプレビューと同じ画面内に、前記記録データの書込み及び前記印刷データの印刷を実行するか否かを選択する実行選択手段を表示することを特徴とする請求項２また３に記載の記録媒体作成装置。
【請求項４】
前記発行起動部は、少なくとも前記記録データと前記印刷データの双方が存在しないときには、前記発行起動信号を受信しても、光学記録媒体の発行処理を起動しないことを特徴とする請求項３に記載の記録媒体作成装置。
【請求項５】
光学記録媒体にデータを記録し、レーベル面にレーベル印刷を行う光学記録媒体書込装置において、
（ａ）要求に応じて、記録データの編集を行う記録データ編集工程と、
（ｂ）要求に応じて、印刷データの編集を行う印刷データ編集工程と、
（ｃ）光学記録媒体の記録媒体の発行指示要求に応じて、前記編集後の記録データ及び印刷データを同一画面上に表示する確認表示工程と、
（ｄ）発行起動信号を受信したときに、前記編集後の記録データ及び印刷データに基づく光学記録媒体の発行を起動する起動工程と、
を備えることを特徴とする光学記録媒体の発行操作制御方法。
【請求項６】
前記確認表示工程（ｃ）は、さらに、
（ｃ-1）前記記録データ及び前記印刷データの表示画面と同一の画面上に、前記発行起動信号を入力するための発行起動手段及び実行選択手段を表示する工程を、
備えることを特徴とする請求項５に記載の光学記録媒体の発行操作制御方法。
【請求項７】
さらに、
（ｅ）前記発行起動手段の起動入力に基づいて、編集した前記記録データと前記印刷データを同一のファイルに保存する工程を備えることを特徴とする請求項５または６に記載の光学記録媒体の発行操作制御方法。
【発明の詳細な説明】
【技術分野】
【０００１】
本発明は、ＤＶＤ、ＣＤ、その他の光学記録媒体（メディア）にデータを記録し、光学記録媒体にレーベル印刷を行う記録媒体作成装置に関し、さらに詳しくは、記録媒体作成装置の光学記録媒体の発行操作制御方法に関する。
【背景技術】
【０００２】
近時、個人情報や企業秘密等に対する機密保持管理の要請から、ＣＤ、ＤＶＤ等の光学記録媒体へのデータ記録を集中管理する要請や、デジタル音楽データまたはデジタル画像データの光学記録媒体への記録の要請が高まっている。また、該当配布用や展示会等で配布するために、１０〜１００枚程度の比較的少量の光学記録媒体の作成やダビングのニーズも多くなっている。そのために、デジタルデータ、イメージデータ、音楽データ等の各種データを高速でＤＶＤ、ＣＤ等の光学記録媒体（各種メディア）に記録し、レーベル面に記録内容を印刷する装置が提案されている。例えば、ビジネス用途の記録媒体作成装置としては、未使用のＣＤを収納するホルダと、ＣＤ記録部と、ラベルプリンタ部と、記録済ＣＤホルダとを備えており、医療用画像をＣＤのような光学記録媒体に記録し、識別ラベルをレーベル面に印刷する記録媒体作成装置が開示されている（特許文献１参照）。
【特許文献１】特開２００２−５８６４９
【発明の開示】
【発明が解決しようとする課題】
【０００３】
このような記録媒体作成装置を用いて、光学記録媒体にデータを記録し、レーベル面への印刷を行う場合には、記録媒体の作成者は、まず、記録データ及び印刷データの編集を行う。記録データ及び印刷データの編集が終了すると、作成者の発行指示入力に基づき、記録データの書込及びレーベル印刷が開始される。記録データの書込及びレーベルデータの印刷は一連の連続作業として行われるため、記録媒体の作成ミスを防ぐには、記録データ及び印刷データの編集内容を確認した後に、発行指示入力操作を行うことが好ましい。
【０００４】
しかし、これらの記録データ及び印刷データの編集は、それぞれ別々に行われるため、従来の記録媒体作成装置では、編集された記録データと印刷データをそれぞれ、別々に表示して確認しなければならなかった。また、記録データと印刷データは、密接に関連している場合もあり、相互の内容が一致しているかどうかの確認が必要な場合もある。このような場合に、それぞれ別々に画面表示して確認するのは、煩雑かつ不便であった。
【０００５】
本発明はこれらの従来技術に鑑みてなされたもので、発行起動操作前に、記録データ及び印刷データの編集内容を容易に編集確認ができるようにした記録媒体作成装置及びその発行起動処理方法を提供することを目的とする。
【課題を解決するための手段】
【０００６】
本発明は、発行指示信号の入力に基づいて、編集後の記録データ及び印刷データを一画面上で同時に確認可能に表示した後に、さらに発行起動信号が入力されたときに、発行処理を起動するよう構成して、上記課題を解決する。
【０００７】
本発明の第１の態様にかかる記録媒体作成装置は、光学記録媒体にデータを記録し、前記光学記録媒体のレーベル面に印刷を行う記録媒体作成装置であって、光学記録媒体に書き込む記録データの編集を行う記録データ編集部と、レーベル面に印刷する印刷データの編集を行う印刷データ編集部と、記録媒体の発行指示信号に基づいて、編集した前記記録データ及び前記印刷データのプレビューを同一画面上に表示し、その後に入力される発行起動信号の入力に基づいて、光学記録媒体の発行処理を起動する発行起動部と、を備えることを特徴とする。
【０００８】
この態様によると、作成者による発行指示があると、光学記録媒体の発行動作を開始する前に、最終編集データを一画面上に表示する。これにより、作成者に編集データの再度の確認の機会を与えるとともに、最終確認を促すことができる。また、記録データと印刷データのプレビューを同一画面に表示するので、両者を同時に比較しつつ最終確認することが可能となる。これにより、一度の画面表示ですべての編集データの確認作業が可能となる。また記録データと印刷データを同一画面上で比較することが可能なことから、より正確な編集データの再確認が可能となる。
【０００９】
本発明の他の態様にかかる記録媒体作成装置は、前記発行起動部が、前記発行起動信号の入力を行う発行起動手段を、前記記録データ及び前記印刷データのプレビューと同じ画面内に表示することを特徴とする。
【００１０】
この態様によると、最終確認画面と同一画面に発行起動手段も表示されるので、一画面上で最終確認から起動操作までの処理を実行できる。また、最終確認画面内に発行起動手段を表示するので、最終確認をすることなく、誤って発行起動手段を誤操作することによる起動の開始を防止することが可能となる。
【００１１】
本発明の他の態様にかかる記録媒体作成装置は、前記発行起動部が、前記記録データ及び前記印刷データのプレビューと同じ画面内に、前記記録データの書込み及び前記印刷データの印刷を実行するか否かを選択する実行選択手段を表示することを特徴とする。
【００１２】
この態様によると、最終確認作業や修正作業が終了するまで、実行選択手段による選択をしないようにすることにより、誤操作により発行起動手段を起動しても、光学記録媒体の発行を行わないようにすることが可能である。このように、最終確認を終えた段階で実行選択手段にチェックマークを入れることにより、より確実な最終確認操作が可能となる。
【００１３】
本発明の他の態様にかかる記録媒体作成装置は、前記発行起動部が、少なくとも前記記録データと前記印刷データの双方が存在しないときには、前記発行起動信号を受信しても光学記録媒体の発行処理を起動しないことを特徴とする。この態様により、記録データが編集されていないにも拘わらず、レーベル印刷のみを行う発行処理を行わないようにすることが可能となる。
【００１４】
本発明の第１の態様にかかる光学記録媒体の発行操作制御方法は、光学記録媒体にデータを記録し、レーベル面にレーベル印刷を行う光学記録媒体書込装置において、
（ａ）要求に応じて、記録データの編集を行う記録データ編集工程と、
（ｂ）要求に応じて、印刷データの編集を行う印刷データ編集工程と、
（ｃ）光学記録媒体の記録媒体の発行指示要求に応じて、前記編集後の記録データ及び印刷データを同一画面上に表示する確認表示工程と、
（ｄ）発行起動信号を受信したときに、前記編集後の記録データ及び印刷データに基づく光学記録媒体の発行を起動する起動工程と、
を備えることを特徴とする。
【００１５】
本発明の他の態様にかかる光学記録媒体の発行操作制御方法は、前記確認表示工程（ｃ）が、さらに、
（ｃ-1）前記記録データ及び前記印刷データの表示画面と同一の画面上に、前記発行起動信号を入力するための発行起動手段及び実行選択手段を表示する工程を、備えることを特徴とする。
【００１６】
本発明の他の態様にかかる光学記録媒体の発行操作制御方法は、さらに、
（ｅ）前記発行起動手段の起動入力に基づいて、編集した前記記録データと前記印刷データを同一のファイルに保存する工程を備えることを特徴とする。これにより、編集したファイルを一旦保存して再度開くときにも、すぐに1画面中で2つのデータを見る事ができる。そのためには、同一ファイルにデータを保存しておくという方法が便利である。
【発明の効果】
【００１７】
本発明によると、発行指示入力があったときに、編集後の記録データの表示及び編集後の印刷データのプレビューを、同一画面上に表示するので、発行処理を起動する前に、一画面上ですべての編集データの最終確認をすることができ、最終確認した上で発行処理を起動することが可能となる。特に、記録データと印刷データが一致していることを確認する事が容易になる。また、記録データ及び印刷データの双方を比較して確認できるので、編集の誤りを発見することが容易となる。すなわち、本発明によると、発行前に必ず、最終確認処理が行われるので、編集ミスを抑制することが可能となる。また、記録データ及び印刷データの双方を同一画面に表示するので、精度の高い効率的な確認作業が可能となる。
【発明を実施するための最良の形態】
【００１８】
図面を用いて本発明の実施形態を説明する。始めに記録媒体作成制御装置の各部の機能を簡単に説明した上で、光学記録媒体の作成手順を説明し、その後本発明の特徴部分について詳細に説明する。
【００１９】
図１は本発明の一実施形態にかかる記録媒体作成装置を示す。記録媒体作成装置は、作成制御装置１０及びこれにより制御される作成装置９０から構成される。図１においては、作成制御装置１０は、ＰＣ又はサーバ等のホスト装置及びこれにインストールされているソフトウェアにより構成されている。ＰＣ等のホスト装置１０は、ＣＰＵ、ＲＡＭ・ＲＯＭ等のメモリ、論理回路等のハードウェアと、各種ソフトウェアとから構成されており、Windows（登録商標）等の各種汎用ＯＳで動作可能である。作成制御装置１０をより機能的なブロックに分解して説明すると、光学記録媒体を作成するための基本機能を提供するアプリケーション部２０と、アプリケーション部２０から受信したデータに従って、記録データや印刷データを作成し一時保存するデータ変換部３０と、データ変換部からの制御信号に基づいて光学記録媒体を作成するための一連の処理をスケジューリングし、各部の動作手順を制御する統合制御部４０と、作成装置９０の動作を制御するための各種ドライバ及びＵＳＢインタフェース５４を含むデバイス制御部５０とから構成されている。
【００２０】
作成装置９０は、ＵＳＢハブ９１及びこれに接続される２つのデータ記録部９２、９３、作成装置９０内の各部に光学記録媒体を搬送するオートローダ（記録媒体搬送部）９４、及びラベルプリンタ９５を備えており、同時に２つの光学記録媒体に対して書込処理が可能である。データ記録部９２、９３及びプリンタ９５を多く設けて、より多くの並列処理を可能にするように構成しても良い。記録データの書き込みが終了した後に、プリンタ９５によりラベル印刷を行うことが可能である。光学記録媒体の各装置間の移動は、オートローダ９４により行われる。作成装置９０は、何も記録されていない光学記録媒体（未使用記録媒体）や、書き込み済みの光学記録媒体を収納する各種収納部を備えている。本明細書に示す実施形態では４個の収納部９６a〜９６ｄ（図２参照）を備えた例を示しており、収納部９６a〜９６ｄにはそれぞれの収納部内に収容されている記録媒体を検知する収納部センサを備えている。
【００２１】
（作成制御装置）
まず、作成制御装置１０の各部の機能を簡単に説明する。アプリケーション部２０は、光学記録媒体に書き込む記録データの内容を記録したデータファイルの指定やラベル印刷内容及び記録形式や印刷形式の指定等を行うためのユーザインタフェース機能、及び記録データ及び印刷データを編集する編集機能を提供する。例えば、セットアップ部２１は、作成装置９０の仕様を初期設定する機能を提供し、モニター部２２は、作成する光学記録媒体の記録内容やラベル印刷の内容を表示する機能及び編集操作に必要な入力機能を提供する。編集制御部２３は、データエディタ部（記録データ編集部）２５、ディスクパブリッシャ部（編集統括部）２６及びラベルエディタ部（ラベルデータ編集部）２７を備えており、それぞれの編集部で、光学記録媒体に記録される記録内容（記録データ）の編集、及び光学記録媒体のレーベル面に印刷されるラベル印刷データの編集を行う。ラベル印刷データの編集にはテンプレート部２４に記憶されているテンプレートを利用することも可能である。
【００２２】
アプリケーション部２０により編集されたそれぞれの編集データは、光学記録媒体作成者の操作により入力される発行指示信号に基づいて、データ変換部３０に出力される。データ変換部３０では、ディスクライブラリ３１、グラフィックデバイスインターフェース（ＧＤＩ）６１及び画像処理部６２により、データ記録部９２，９３及びプリンタ９５の各デバイスに適合するデータ形式に変換される。変換された記録データ３２及びラベルデータ３３は一時記憶部３４に記憶される。一時記憶部３４には、複数のジョブを記憶することが可能である。
【００２３】
統合制御部４０は、オートローダ９４、データ記録部９２，９３及びプリンタ９５の動作を制御する。統合制御部４０は、一時記憶部３４に記憶されたジョブを実行するために、未使用記録媒体を取り出して搬送し、一時記憶部３４に記憶されている各種記録データを光学記録媒体に書き込み、レーベル印刷を行う一連の処理を実行するために、オートローダ９４、データ記録部９２，９３及びプリンタ９５を順番に制御する。
【００２４】
一時記憶部３４に記録データや印刷データが記憶されると、統合制御部４０は、記憶された各ジョブを実行するための処理手順を決めるジョブスケジュールを生成する。その後統合制御部４０は、生成したジョブスケジュールに従ってデバイス制御部５０を制御することにより、それぞれのジョブごとに、作成装置９０の各部（デバイス）９２〜９５の動作を制御する。具体的には、各デバイスドライバ５１、５３及び印刷入出力制御部６３を制御することにより、ジョブ毎に未記録の光学記録媒体の取り出し、光学記録媒体の搬送、データ書込、ラベル印刷等の処理、記録済み光学記録媒体の搬送等を、各部（デバイス）の動作が互いに干渉することなく実行できるように、各部９２〜９５の一連の動作を制御する。これにより、複数の光学記録媒体作成ジョブがリソースを効率に利用しながら混乱することなく順次遂行される。
【００２５】
（光学記録媒体の搬送手順）
次に図２を用いて、作成装置９０における光学記録媒体の処理手順を搬送順に説明する。図２は、作成装置９０の各部の連携動作を説明するためのブロック図である。図１では示していないが、作成装置９０は未記録の光学記録媒体を収納する未使用記録媒体収納部と、記録の完了した書込済みの光学記録媒体を収納する書込済記録媒体収納部を備えている。図２の例では、未使用記録媒体９７ａを収納する２個の未使用記録媒体収納部９６ａ、９６ｂと書込済み光学記録媒体９７ｃを収納する２個の書込済み記録媒体収納部９６ｃ、９６ｄを備えている。
【００２６】
ジョブの開始は、（１）オートローダ９４により未使用記録媒体収納部９６ａ又は９６ｂから未使用記録媒体９７ａを取り出し、データ記録部９２またはデータ記録部９３のいずれかにセットすることから開始される。オートローダ９４は、光学記録媒体を収納部やデバイスから取り出して持ちあげ、作成装置９０内の指定された各部へ搬送する機能を備えている。書き込みの開始時に未使用光学記録媒体をいずれの収納部から取り出すかは、それぞれ優先順位をつけて先に取り出す方を決めておいても、オートローダ９４のピックアップキャリア（図示せず）の現在位置から近い方から取り出すように構成しても良い。尚、各収納部９６ａ〜９６ｄにはセンサが設けられており、収納部９６ａ〜９６ｄが空になった場合や満杯になった場合には検知できるように構成することが望ましい。
【００２７】
また、書き込み処理を行うためにいずれのデータ記録部９２，９３を使用するかについては、そのときの動作状況によって異なる。いずれも使用可能な場合には、予め付与された優先順位により決められる。また、データ記録部９２，９３によって書込速度や密度が異なる場合、または書き込み形式が異なる場合には、指定された書込形式に対応したデータ記録部が選択される。データ記録部９２又は９３に未使用記録媒体９７ａがセットされると、統合制御部４０の制御に基づき、データ記録部ドライバ５１を介して、一時記憶部３４に記憶されている記録データが書き込まれて、データ記録のみが終了した光学記録媒体９７ｂとなる。
【００２８】
データ記録部９２又は９３によりデータ記録が完了すると、（２）オートローダのピックアップキャリアにより、データの書き込みが完了した光学記録媒体９７ｂがデータ記録部９２又は９３から取り出されて、プリンタ９５に搬送される。プリンタ９５では、光学記録媒体のレーベル面にジョブで指定されたレーベル印刷が実行される。プリンタ９５に光学記録媒体９７ｂがセットされると、統合制御部４０の制御に基づいて、印刷入出力制御部６３を介して、一時記憶部３４に記憶されているレーベル印刷用の印刷データが光学記録媒体のレーベル面に印刷される。これにより、光学記録媒体はデータ書き込み及びレーベル印刷の完了した光学記録媒体９７ｃとなる。
【００２９】
レーベル印刷が完了すると、（３）書き込み及びレーベル印刷の完了した光学記録媒体９７ｃが、オートローダ９３のピックアップキャリアにより取り出されて、書き込み済み記録媒体収納部９６ｃ又は９６ｄまで搬送されて、収納される。
【００３０】
尚、上記説明では、データ書き込み後にレーベル印刷をしてから、書込済み収納部９６ｃ又は９６ｄに搬送収納するジョブの例を示したが、ジョブによっては、データ書き込みが終わった時点でレーベル印刷することなく書込み収納部９６に搬送収納させることも可能である。
【００３１】
（編集制御部）
本発明にかかる作成制御装置のアプリケーション部２０の編集制御部２３の構成及び動作について、本発明の特徴部分である光学記録媒体の発行操作時の制御を中心に説明する。
【００３２】
図３に編集制御部２３の一実施形態にかかる機能ブロック図を示す。図３では、本発明に関連する部分の機能のみを示している。記録データ編集部２５は、指定されたデータファイルから光学記録媒体に記録する記録データを読み出して、作成者の要求に従って編集する。ラベルデータ編集部２７は、ラベルに印刷する印刷データ編集する。
【００３３】
表示制御部２８は、記録データ及び印刷データのデータ編集の際及び編集後の最終確認の際に、表示する表示画面データの生成及び制御を行う。
【００３４】
起動処理部２９は、光学記録媒体の発行処理を起動する。光学記録媒体の発行処理を起動する際には、編集後の記録データ及び印刷データの内容に誤りがないかどうかを最終確認することが望ましい。そのため、本発明では、作成者からの発行指示信号を受信すると、編集後の記録データと印刷データを画面上に表示する。これにより、記録データと印刷データを一つの画面上で同時に比較しながら一度に確認作業を終了することができる。印刷データは、レーベル印刷されるデータと同じ形態で印刷プレビュー表示される。このように、同一画面上に記録データと印刷データが一度に表示されるので、操作者は容易に両編集データを最終確認することができる。作成者は、これらの編集データを確認した後、問題がなければ、発行起動手段を操作して、最終的に発行動作を起動する。これにより、編集の誤りの少ない発行操作が可能となる。
【００３５】
また、編集確認後に発行動作を起動する発行起動手段も、記録データ及び印刷データを表示する画面と同一画面内に表示することが望ましい。これにより、編集データの最終確認と発行起動操作を一画面上で行うことが可能となる。また、発行起動手段を最終確認画面内に表示するように構成することにより、誤って発行起動手段を操作することを防止することができる。このように、本発明によると、シンプルで誤りの少ない発行処理操作が可能となる。
【００３６】
発行起動信号が入力されると、編集の完了した記録データ及び印刷データは、それぞれディスクライブラリ３１、グラフィックデバイスインターフェース（ＧＤＩ）６１、画像処理部６２へで、データ記録部９２，９３、及びプリンタ９５に対応した形式に変換されて、一時記憶部３４に記憶される。統合制御部４０により発行処理が開始される。
【００３７】
（画面表示例）
図４に、編集した記録データ及び印刷データと、起動操作手段を同一画面に表示した画面表示例を示す。アプリケーションを起動すると、図４の上段左側に示すようなディスク編集７１、ラベル編集７２、発行指示７３の操作アイコンが表示される。ディスク編集７１をクリックすることにより、記録データの編集画面（図示せず）が表示されて、記録データの編集を行うことができる。ラベル編集７２をクリックすることにより印刷データの編集画面（図示せず）が表示されて、印刷データの編集が可能となる。発行指示７３をクリックすると、図４に示す最終確認画面が表示される。
【００３８】
図４に示す最終確認画面では、左側の記録データ欄７４に記録データの編集内容を示し、その右側の印刷データ欄７８にラベル印刷データの編集内容を表示している。また、右端の最下段には、発行起動ボタン（発行起動手段に相当する）８０が表示されている。発行起動ボタンをクリックすることにより、光学記録媒体の発行処理が開始される。
【００３９】
発行起動ボタン８０の上の方には、複数の記録媒体発行装置がＰＣに接続されているときに、どの記録媒体発行装置を使用するかを選択する発行装置選択部８１が設けられている。その下には、光学記録媒体の供給元（未使用記録媒体収納部）を表示する供給元表示部８２、完成後の光学記録媒体の排出先（書込み済み記録媒体収納部）を表示する排出先表示部８３、記録データの書き込み速度を表示する書込速度表示部８４、レーベルの種類を表示するレーベル種類表示部８５、作成枚数を表示する書込枚数表示部８６を備えている。
【００４０】
さらに、記録データ表示部７４の上端及び印刷データ表示部７８の上端には、データを書き込むかどうか、及びレーベル印刷を行うかどうかを選択する実行選択部（請求項の「実行選択手段」に相当する）８７，８８も設けられている。実行選択部８７，８８にチェックマークを入れることにより、記録データ及び印刷データの発行処理を起動することが可能となる。例えば、印刷するかどうかを選択する実行選択部８８にチェックマークを入れずに発行ボタン（操作開始ボタン）８０を起動すると、記録データだけの変換処理が起動される。
【００４１】
編集制御部２３は、この他にも記録データの編集及び印刷データの編集に関する種々の機能を有するが、それらは本発明とは直接の関連を有しないので、その他の編集処理についてはこれ以上説明しない。
【００４２】
（発行起動処理手順の説明）
図５乃至図７を用いて、本発明の一実施形態にかかる発行起動処理手順を説明する。図５は、本発明にかかる光学記録媒体の作成手順の基本処理を示すフローチャートである。
【００４３】
アプリケーションが起動されると（Ｓ１０１）、記録媒体発行初期画面（図示せず）が表示され、記録データの編集、印刷データの編集画面の選択が可能となる。記録データまたは印刷データの編集画面が選択されると、選択された編集画面が表示され、選択に従って記録データの編集、印刷データの編集を行うことができる（Ｓ１０２）。
【００４４】
編集が終了すると、編集データの最終確認後に、発行処理が起動される。発行処理が起動されると、記録データの光学記録媒体への書込み処理（Ｓ１０３）、及び光学記録媒体のレーベル面への印刷データの印刷処理が実行されて（Ｓ１０４）発行処理を終了する。尚、図１では、記録媒体の搬送は、書込み処理（Ｓ１０３）及び印刷処理に含むものとして示している。
【００４５】
図６は、図５の編集処理工程（Ｓ１０２）の一例を示すフローチャートである。まず、記録データの編集が起動されたかどうかが確認される（Ｓ２０１）。ディスク編集７１がクリックされて記録データの編集が起動されると（Ｓ２０１；Ｙｅｓ）、編集入力に従って、記録データの編集が行われる（Ｓ２０２）。記録データの編集が起動されていない場合（Ｓ２０１；Ｎｏ）、印刷データの編集が起動されたかどうかが確認される（Ｓ２０３）。ラベル編集７２がクリックされて印刷データの編集が起動されたら（Ｓ２０３；Ｙｅｓ）、編集入力に従って印刷データの編集が行われる（Ｓ２０４）。印刷データの編集が起動されていない場合（Ｓ２０３；Ｎｏ）、または印刷データの編集が終了すると、発行指示アイコン７３による発行指示が起動されたかどうかが確認される（Ｓ２０５）。発行指示が起動されていなければ（Ｓ２０５；Ｎｏ）、再び記録データの編集が起動されたかどうかが確認され（Ｓ２０１）、同様の処理が繰り返される（Ｓ２０１〜Ｓ２０５；Ｎｏ）。発行指示が起動されると（Ｓ２０５；Ｙｅｓ）、発行の起動処理が行われ（Ｓ２０６）が行われる。
【００４６】
図７を用いて、図６の発行起動処理の例を詳しく説明する。図７は、発行起動処理の一例を示すフローチャートである。図６の工程（Ｓ２０５）において、発行処理が起動されると（Ｓ２０５；Ｙｅｓ）、図７の発行起動処理手順がスタートする。本発明にかかる発行起動処理手順では、発行処理を開始する前に、最終確認画面が表示される。
【００４７】
そのために、まず、編集済みの記録データ及び印刷データと関連するデータが取得される（Ｓ３０１）。次に、取得した記録データ及び印刷データを生成し、表示させる（Ｓ３０２）。次に実行選択部８７，８８への選択入力の有無が確認され（Ｓ３０３）、実行選択部８７，８８への選択入力があると（Ｓ３０３；Ｙｅｓ）、実行選択部にチェックマークをいれるように表示画面が切り替える（Ｓ３０４）。選択入力がないと（Ｓ３０３；Ｎｏ）、次に発行起動ボタン８０による発行起動入力があるかどうかを確認する（Ｓ３０５）。発行起動入力が無い場合には（Ｓ３０５；Ｎｏ）、選択入力及び発行起動入力の確認動作を繰り返す。発行起動入力があると（Ｓ３０５；Ｙｅｓ）、発行処理動作が起動される。これにより、発行処理が開始され、記録データ及び印刷データの変換処理が行われて一時記憶部３４に記憶され、統合制御部４０の制御に基づいて、順次発行動作が実行される。
【００４８】
尚、図１の例では、ＰＣ等のホスト装置にＵＳＢにより作成装置が接続されているが、ホスト装置の接続形態はシリアルケーブルを使用しても、無線ＬＡＮを使用してもよい。また、図１では、ホスト装置に、光学記録媒体の作成を制御する制御部を、ホスト装置に設けているが、これらの制御装置を、作成装置内に設けて、作成制御装置及び作成装置を一体化した記録媒体作成装置により、作成処理のスケジュール制御等を行っても良い。さらに、図１では、作成装置は、２台のデータ記録部と、１台のオートローダ、１台のプリンタを備えている例を示しているが、より多くのデータ記録部やプリンタ等を備えていても良い。
【図面の簡単な説明】
【００４９】
【図１】本発明の一実施形態にかかる本発明の一実施形態にかかる作成制御装置１０及びこれにより制御される作成装置９０を示す機能ブロック図である。
【図２】作成装置の各部の連携動作を説明するためのブロック図である。
【図３】本発明の一実施形態にかかる編集制御部の機能ブロック図である。
【図４】本発明の最終確認画面の一例を示す画面表示例である。
【図５】本発明にかかる光学記録媒体の作成手順の基本処理を示すフローチャートである。
【図６】図５の編集処理工程の一例を示すフローチャートである。
【図７】発行起動処理の一例を示すフローチャートである。
【符号の説明】
【００５０】
１０  作成制御装置                      ２０  アプリケーション部
２３  編集制御部                        ２５  記録データ編集部
２６  編集統括部                        ２７  ラベルデータ編集部
２８  表示制御部                        ２９  発行起動部
３０  データ変換部                      ４０  統合制御部
５０  デバイス制御部                    ６０  プリンタドライバ
７０  最終確認画面                      ７１  ディスク編集用アイコン
７２  ラベル編集用アイコン              ７３  発行指示ボタン（アイコン）
７４  記録データ表示部                  ７８  印刷データ表示部
８０  発行起動ボタン                    ８１  発行装置選択部
８２  供給元表示部                      ８３  排出先表示部
８４  書込速度表示部                    ８５  種類表示部
８６  書込枚数表示部                    ８７，８８  実行選択部（実行選択手段）
９０  記録媒体作成装置                  ９２，９３  データ記録部
９４  オートローダ                      ９５  プリンタ
９６a、ｂ  未使用媒体収納部             ９６ｃ、ｄ  書込済み収納部
９７ａ  未使用記録媒体                  ９７b 書込済み記録媒体
９７ｃ  書込及び印刷済み記録媒体
【図１】
2008152816.tif 000003
【図２】
2008152816.tif 000004
【図３】
2008152816.tif 000005
【図４】
2008152816.tif 000006
【図５】
2008152816.tif 000007
【図６】
2008152816.tif 000008
【図７】
2008152816.tif 000009